(57)【要約】【課題】電源配線に跨ぎ部分がある場合にも、良好な発光性能が得られる電気光学装置及び電子機器を提供する。【解決手段】電気光学装置は、複数の発光素子を含む表示領域１と、表示領域１に電力を供給する電源配線３とを有する。電源配線３は、表示領域１の外側に配置される共通電源配線３Ｒ、３Ｇ、３Ｂと、共通電源配線３Ｒ、３Ｇ、３Ｂと複数の発光素子とを接続する複数の電源線６Ｒ、６Ｇ、６Ｂとを有する。複数の電源線６Ｒ、６Ｇ、６Ｂは、共通電源配線３Ｒ、３Ｇ、３Ｂを跨いで配置される跨ぎ部分を有し、共通電源配線３Ｒ、３Ｇ、３Ｂには、その跨ぎ部分の距離を短くするためのくびれＣが設けられている。【選択図】　　図１
2004117691.tif 000002
【特許請求の範囲】
【請求項１】
複数の発光素子を含む表示領域と、前記表示領域に電力を供給する電源配線とを有する電気光学装置であって、
前記電源配線は、前記表示領域の外側に配置される共通電源配線と、前記共通電源配線と前記複数の発光素子とを接続する複数の電源線とを有し、
前記複数の電源線は、前記共通電源配線を跨いで配置される跨ぎ部分を有し、前記共通電源配線には、前記跨ぎ部分の距離を短くするためのくびれが設けられていることを特徴とする電気光学装置。
【請求項２】
一の前記くびれに対して、複数の前記跨ぎ部分が配置されていることを特徴とする請求項１に記載の電気光学装置。
【請求項３】
前記共通電源配線は、前記表示領域の周縁に沿って複数が互いに並んで配置されており、
一の前記共通電源配線に設けられた前記くびれの内側に、他の前記共通電源配線の一部が配置されていることを特徴とする請求項１または請求項２に記載の電気光学装置。
【請求項４】
前記発光素子は有機エレクトロルミネッセンス素子を含むことを特徴とする請求項１から請求項３のうちのいずれかに記載の電気光学装置。
【請求項５】
請求項１から請求項４のうちのいずれかに記載の電気光学装置を有することを特徴とする電子機器。
【発明の詳細な説明】
【０００１】
【発明の属する技術分野】
本発明は、表示領域に複数の発光素子を含む電気光学装置、及びこの電気光学装置を備える電子機器に関する。
【０００２】
【従来の技術】
有機エレクトロルミネッセンス（以後、ＥＬと称する）表示装置は、各画素ごとに有機ＥＬ素子からなる発光素子を有する。カラー表示に対応する場合、表示領域内に、赤（Ｒ）、緑（Ｇ）、青（Ｂ）の各色（発光色）に対応する複数の発光素子が所定の配列で配置される。
【０００３】
発光素子の発光強度は、発光素子を流れる電流量によって定まる。発光素子の発光特性は上記色ごとに異なるため、発光素子に電力を供給する電源配線は、上記色ごとに複数に分けて設けられる場合が多い。
【０００４】
電源配線を複数に分けて設ける場合、表示領域内の複数の発光素子のそれぞれに電源配線を接続しようとすると、電源配線同士が交差する部分が生じる。この交差部分では、電源配線を跨ぐ配線が用いられる（例えば、特許文献１参照）。
【０００５】
【特許文献１】
特開２００２−１０８２５２号公報（図３）
【０００６】
【発明が解決しようとする課題】電源配線の跨ぎ部分は、通常の配線に使用される金属層とは別の層を用いて形成される場合が多く、通常の配線に比べて電気抵抗（配線抵抗）が増加しやすい。また、同じ材質を用いる場合でも、跨ぎ部分によって配線距離が増えるので、配線抵抗の増加につながる。電源配線の配線抵抗が増加すると、電圧降下が生じ、これにより、複数の発光素子を流れる電流にばらつきが生じて、表示領域全体の発光性能の低下を招きやすい。
【０００７】
本発明は、上述した事情に鑑みてなされたものであり、電源配線に跨ぎ部分がある場合にも、電圧降下を抑制し、良好な発光性能が得られる電気光学装置及び電子機器を提供することを目的とする。
【０００８】
【課題を解決するための手段】
上記の課題を解決するために、本発明の電気光学装置は、複数の発光素子を含む表示領域と、前記表示領域に電力を供給する電源配線とを有する電気光学装置であって、前記電源配線は、前記表示領域の外側に配置される共通電源配線と、前記共通電源配線と前記複数の発光素子とを接続する複数の電源線とを有し、前記複数の電源線は、前記共通電源配線を跨いで配置される跨ぎ部分を有し、前記共通電源配線には、前記跨ぎ部分の距離を短くするためのくびれが設けられていることを特徴とする。
【０００９】
本発明の電気光学装置によれば、表示領域の外側に配置される共通電源配線のくびれによって、その配線と交差する電源線の跨ぎ部分の距離が短くなることから、跨ぎ部分の配線抵抗が低減される。そのため、電圧降下に伴う発光性能の低下が抑制される。
【００１０】
ここで、配線長さ：Ｌ［ｍ］、断面積：ａ［ｍ２］、体積抵抗率：ρ［Ω・ｍ］とすると、一様な物質の電気抵抗Ｒ［Ω］は、次式で表される。
Ｒ＝ρ・Ｌ／ａ
すなわち、共通電源配線にくびれを形成して、電源線の跨ぎ部分の距離Ｌを短くすることにより、跨ぎ部分の配線抵抗の増加を抑制できる。なお、オームの法則（Ｖ＝Ｉ・Ｒ）により、跨ぎ部分の配線抵抗Ｒを小さくすることにより、電圧降下量Ｖが抑制される。
【００１１】
上記の電気光学装置において、一の前記くびれに対して、複数の前記跨ぎ部分を配置してもよい。
これにより、配線スペースを有効に利用できる。
【００１２】
また、上記の電気光学装置において、前記共通電源配線は、前記表示領域の周縁に沿って複数が互いに並んで配置されており、一の前記共通電源配線に設けられた前記くびれの内側に、他の前記共通電源配線の一部が配置されていてもよい。
これにより、跨ぎ部分が複数の共通電源配線を跨ぐ場合に、その距離をより短くできる。
【００１３】
本発明の電気光学装置において、前記発光素子は有機エレクトロルミネッセンス素子を含む構成が採用される。
これにより、発光性能が良好な表示装置を提供できる。
【００１４】
本発明の電子機器は、上記記載の電気光学装置を有することを特徴とする。
本発明によれば、良好な表示性能を有する表示装置を備えた電子機器を提供できる。
【００１５】
【発明の実施の形態】
以下、本発明の電気光学装置及び電子機器について図面を参照しながら説明する。図１は本発明の電気光学装置としての有機ＥＬ表示装置を示す図であって、図１（ａ）は模式的な全体平面図であり、図１（ｂ）は図１（ａ）の要部拡大図である。
【００１６】
図１（ａ）において、有機ＥＬ表示装置Ｓは、ガラス等からなる透明な基板Ｐと、基板Ｐ上にマトリクス状に配置された発光素子としての複数の有機エレクトロルミネッセンス（ＥＬ：Ｅｌｅｃｔｒｏｌｕｍｉｎｅｓｃｅｎｃｅ）素子とを備えている。有機ＥＬ素子（発光素子）は、後述する画素電極（陽極）と、機能層と、陰極とにより形成されており、その発光状態は、薄膜トランジスタ（ＴＦＴ：Ｔｈｉｎ　Ｆｉｌｍ　Ｔｒａｎｓｉｓｔｏｒ）を介して制御される。
【００１７】
表示装置Ｓは、基板Ｐの中央に設けられている表示領域１と、基板Ｐの周縁であって表示領域１の外側に設けられている非表示領域２とを含む。マトリクス状に配置されている複数の発光素子は、表示領域１に設けられている。また、表示装置Ｓは、図１中、Ｘ方向に延びる複数の走査線４と、走査線４に対して交差する方向であるＹ方向に延びる複数の信号線５と、信号線５に並列に延びる複数の電源線６とを有している。そして、走査線４と信号線５との各交点付近に、発光素子のそれぞれに対応した複数の画素領域１００が設けられている。画素領域１００は発光素子により発光する領域であり、本実施形態において、カラー表示を行うために、赤（Ｒ）、緑（Ｇ）、青（Ｂ）の各色に対応した各画素領域１００がストライプ状に配列されている。なお、信号線５には、シフトレジスタ、レベルシフタ、ビデオライン及びアナログスイッチを備えるデータ側駆動回路（駆動回路７に含まれる）が接続されている。また、走査線４には、シフトレジスタ及びレベルシフタを備える走査側駆動回路（駆動回路７に含まれる）が接続されている。
【００１８】
図２は表示装置Ｓの構成の一例を模式的に示す分解斜視図である。本実施形態において、表示装置Ｓは、能動素子としてＴＦＴ（薄膜トランジスタ）を用いたアクティブ型駆動方式を採用している。
図２において、表示装置Ｓは、基板Ｐと、基板Ｐ上にマトリクス状に配置された発光領域としての複数の画素領域１００とを備えている。なお、本実施形態において、画素領域１００の平面形状は矩形であるが、円形や長円形など他の形状でもよい。また、表示装置Ｓは、画素領域１００のそれぞれに対応して、ＴＦＴを含む能動素子部１４６と、発光層、正孔輸送層、及び電子輸送層等を含む機能層１４０と、画素電極（陽極）１４１と、陰極（対向電極）１５４と、封止部１４７とを備えている。機能層１４０は、電気光学物質としての有機エレクトロルミネッセンス材料を含む層である。そして、画素電極（陽極）１４１と、陰極（対向電極）１５４と、画素電極１４１と陰極１５４との間に挟まれた機能層１４０とによって発光素子としての有機ＥＬ素子が構成される。なお、本実施形態において、基板Ｐは透明なガラス基板により構成されているが、シリコン基板、石英基板、セラミックス基板、金属基板、プラスチック基板、プラスチックフィルム基板等、電気光学装置や回路基板に用いられる公知の他の基板を用いてもよい。
【００１９】
画素電極１４１の近傍には、上述した走査線４、信号線５、及び電源線６等が配置されている。また、画素領域１００には、走査線４を介して走査信号がゲート電極に供給されるスイッチング用の第１のＴＦＴ１４２と、このＴＦＴ１４２を介して信号線５から供給される画像信号を保持する保持容量１４５と、保持容量１４５により保持された画像信号がゲート電極に供給される駆動用の第２のＴＦＴ１４３とが設けられている。ＴＦＴ１４３を介して画素電極１４１が電源線６に電気的に接続すると、その画素電極１４１に対して駆動電流が供給される。ＴＦＴ１４２（１４３）は、ソース電極２６３及びドレイン電極２６６を有しており、その間にソース・ドレイン領域２４２が形成されている。
【００２０】
封止部１４７は、水又は酸素の侵入を防いで陰極１５４あるいは機能層１４０の酸化を防止するものであり、基板Ｐに塗布される封止樹脂、及び基板Ｐに貼り合わせられる封止基板（封止缶）１４８等を含む。基板Ｐの内側には乾燥剤が配置されており、両者の間に形成された空間にはＮ２ガスを充填したＮ２ガス充填層１４９が形成されている。
【００２１】
画素領域１００の境界部には仕切り部材（バンク）２８１が設けられている。仕切り部材２８１は、機能層１４０を例えば液滴吐出法（インクジェット法）により形成する際、仕切り部材２８１の内側に液滴吐出装置から吐出された液滴を配置させ、液滴を位置決めするとともに隣接する機能層同士の材料が混ざり合うのを防ぐ。
【００２２】
画素領域１００では、走査線４が駆動されて第１のＴＦＴ１４２がオンすると、そのときの信号線５の電位が保持容量１４５に保持され、この保持容量１４５の状態に応じて、第２のＴＦＴ１４３の導通状態が決まる。また、カレントＴＦＴの導通状態に応じた電流量が画素電極１４１を介して電源線６から機能層１４０に流れる。そして、このとき流れる電流量に応じて発光素子の発光強度が決まる。
【００２３】
図１（ａ）に戻り、非表示領域２には、表示領域１内の各発光素子に対して電力を供給するための共通電源配線３（３Ｒ、３Ｇ、３Ｂ）が設けられている。このうち、電源配線３Ｒは赤色（Ｒ）の画素領域１００に対応する発光素子群に電力を供給するものであり、電源配線３Ｇは緑色（Ｇ）の画素領域１００に対応する発光素子群に電力を供給するものであり、電源配線３Ｂは青色（Ｂ）の画素領域１００に対応する発光素子群に電力を供給するものである。本実施形態において、電源配線３Ｒ、３Ｇ、３Ｂのそれぞれは、Ｙ方向に延びる部分とＸ方向に延びる部分とを有する屈曲形状である。各電源配線３Ｒ、３Ｇ、３ＢのＹ方向に延びる部分に駆動回路７が接続しており、各電源配線３Ｒ、３Ｇ、３ＢのＸ方向に延びる部分に前記電源線６が接続している。すなわち、電源線６は、表示領域１内の電源配線として、非表示領域２における電源配線３から分岐された構造からなる。また、駆動回路７からは走査信号、画像信号が出力され、上述の走査線４及び信号線５をそれぞれ介して画素１００に供給される。
【００２４】
上述したように、非表示領域２に設けられている電源配線３Ｒ、３Ｇ、３Ｂのそれぞれは、表示領域１の周縁に沿って、図１中、Ｘ方向（所定方向）に延びるように互いに並んで配設されている。本実施形態において、３本の電源配線３Ｒ、３Ｇ、３Ｂのうち、青色発光素子に電流を供給するための青色用電源配線３Ｂは表示領域１に最も近い内側に配置され、緑色発光素子に電流を供給するための緑色用電源配線３Ｇは表示領域１に対して青色用電源配線３Ｂの外側に配置され、赤色発光素子に電流を供給するための赤色用電源配線３Ｒは表示領域１に対して緑色用電源配線３Ｇの外側に配置されている。そして、これら電源配線３Ｒ、３Ｇ、３Ｂのそれぞれに対して複数の電源線６が接続されている。
【００２５】
図１（ｂ）は、図１（ａ）に示す電源配線３Ｒ、３Ｇ、３Ｂと電源線６との接続部分近傍の拡大図である。図１（ｂ）に示すように、赤色用電源配線３Ｒには赤色用電源線６Ｒが接続され、緑色用電源配線３Ｇには緑色用電源線６Ｇが接続され、青色用電源配線３Ｂには青色用電源線６Ｂが接続されている。赤色用電源線６Ｒは緑色用電源配線３Ｇ及び青色用電源配線３Ｂと交差しており、緑色及び青色用電源配線３Ｇ、３Ｂを跨いで表示領域１の発光素子（画素電極）に接続されている。また、緑色用電源線６Ｇは青色用電源配線３Ｂと交差しており、青色用電源配線３Ｂを跨いで表示領域１の発光素子（画素電極）に接続されている。
【００２６】
図３は電源線６と電源配線３との交差部分（跨ぎ部分）のうち、特に緑色用電源線６Ｇと青色用電源配線３Ｂとの交差部分を模式的に示しており、図３（ａ）は平面図、図３（ｂ）は、図３（ａ）に示すＡ−Ａ断面図である。
図３（ｂ）に示すように、表示装置Ｓは複数の層を積層した多層構造であって、緑色用電源配線３Ｇと青色用電源配線３Ｂとは同じ層（レイヤ）に設けられている。また、緑色用電源線６Ｇも同じ層に設けられている。緑色用電源配線３Ｇと緑色用電源線６Ｇとは、これら緑色用電源配線３Ｇ及び緑色用電源線６Ｇとは異なる層に設けられた導電部１０を介して接続されている。導電部１０と緑色用電源配線３Ｇ及び緑色用電源線６Ｇとの間には絶縁層１１が設けられており、この絶縁層１１に設けられたコンタクトホール１１ａ、１１ｂを介して、緑色用電源配線３Ｇ及び緑色用電源線６Ｇと導電部１０とが接続されている。なお、緑色用電源配線３Ｇ、緑色用電源線６Ｇ、及び青色用電源配線３Ｂの各電源配線が設けられる層と上記導電部１０とは同程度の導電率を有する材質からなるのが好ましい。その材質としては導電率の高い金属が好ましく、例えば、アルミニウム、タンタル、モリブデン、チタン、タングステンなどを例示できる。
【００２７】
図１（ｂ）に戻り、電源線６（赤色用電源線６Ｒ、緑色用電源線６Ｇ）と交差する緑色用電源配線３Ｇ及び青色用電源配線３Ｂには、その交差部分において、各電源線６の跨ぎ部分の距離を短くするためのくびれＣが設けられている。すなわち、緑色用電源配線３Ｇ及び青色用電源配線３Ｂの線幅は、上記交差部分において、他の部分よりも細く形成されている。
【００２８】
本実施形態の表示装置Ｓでは、赤色用電源線６Ｒ及び緑色用電源線６Ｇが跨ぎ部分を有しているため、この跨ぎ部分で配線抵抗の増加が生じるものの、緑色用電源配線３Ｇ及び青色用電源配線３ＢのくびれＣによって、電源線６Ｒ、６Ｇの跨ぎ部分の距離が短くなることから、跨ぎ部分の配線抵抗が低減される。これにより、電圧降下に伴う発光性能の低下が抑制される。
【００２９】
また、本実施形態の表示装置Ｓでは、１つのくびれＣに対して、複数の跨ぎ部分が配置されている。すなわち、青色用電源配線３Ｂに設けられた１つのくびれＣに対して、赤色用電源線６Ｒ、緑色用電源線６Ｇの２つの電源線が配置されている。これにより、各電源線に対してくびれを設ける場合に比べて配線スペースの効率化が図れる。また、１つのくびれに対して１つの配線を割り当てる場合に比べて、くびれ部分の配線を太くしやすく、くびれ部分での配線抵抗の低下を抑制できる。
【００３０】
ここで、本実施形態の表示装置Ｓでは、前述したように、発光素子（有機ＥＬ素子）に供給する電流量を変化させることにより、発光強度（輝度）を制御する。制御データの書き込み方式としては、入力データとして電圧値を用いる方式（電圧プログラム方式）を採用してもよく、入力データとして電流値を用いる方式（電流プログラム方式）を採用してもよい。図４は、上記電圧プログラム方式の回路の一例を示しており、一方、図６及び図７は、上記電流プログラム方式の回路の一例をそれぞれ示している。上記両方式ともに、発光素子Ｄ１、Ｄ２に流れる電流量は、保持容量Ｃ１、Ｃ２の両端にかかる電位差によって定まる。
【００３１】
図４に示す電圧プログラム方式では、保持容量Ｃ１、Ｃ２の両端の電位差は、信号線（電圧プログラム線）ＳＬ１、ＳＬ２の電位Ｖ１と、電源線（電流供給線）ＳＷ１、ＳＷ２の電位Ｖ２とによって定まる。ここで、上記電源線ＳＷ１、ＳＷ２が接続される共通電源配線ＳＷの電位をＶＤＤ、発光素子Ｄ１、Ｄ２に流れる電流量（消費電流量）をＩ１、Ｉ２、発光素子Ｄ１に対する電源線ＳＷ１の跨ぎ部分の配線抵抗をＲ１、発光素子Ｄ２に対する電源線ＳＷ２の跨ぎ部分の配線抵抗をＲ２とすると、配線抵抗Ｒ１、Ｒ２による電源線ＳＷ１、ＳＷ２の電圧降下量はそれぞれ　Ｉ１・Ｒ１　及び　Ｉ２・Ｒ２　であり、各電源線ＳＷ１、ＳＷ２の電位Ｖ２は、ＶＤＤ−Ｉ１・Ｒ１　、　ＶＤＤ−Ｉ２・Ｒ２　となる。このとき、電源線ＳＷ１、ＳＷ２の跨ぎ部分の配線抵抗Ｒ１、Ｒ２が互いに異なる場合、各発光素子Ｄ１、Ｄ２の信号線ＳＬ１、ＳＬ２に同じ電位を与えたとしても、各電源線ＳＷ１、ＳＷ２の電圧降下量に差が生じ、保持容量Ｃ１、Ｃ２の両端にかかる電位差が異なるものになる。そのため、各発光素子Ｄ１、Ｄ２に流れる電流量に差が生じ、輝度変化（輝度ムラ）を招くことになる。この場合、電圧降下量は配線抵抗に比例することから、配線抵抗が高い電源線に接続される発光素子ほど発光輝度が低下することになる。
【００３２】
前述したように、本実施形態の表示装置では、跨ぎ部分の距離が短く、跨ぎ部分の抵抗増加が全体的に抑制されるので、上述した複数の電源線の間での配線抵抗の差が抑制される。そのため、複数の電源線ＳＷ１、ＳＷ２の間の電圧降下量の差が小さくなり、発光素子Ｄ１、Ｄ２の発光性能が均一化される。
【００３３】
また、電源線ＳＷ１、ＳＷ２の電位Ｖ２はそれぞれ、ＶＤＤ−Ｉ１・Ｒ１　、　ＶＤＤ−Ｉ２・Ｒ２　であることから、配線抵抗Ｒ１、Ｒ２による発光素子Ｄ１、Ｄ２の輝度低下は、発光素子Ｄ１、Ｄ２に流れる電流量、すなわち消費電流量Ｉ１、Ｉ２に応じて変化する。すなわち、消費電流量Ｉ１、Ｉ２が大きくなると、その分、配線抵抗Ｒ１、Ｒ２による電圧降下量が大きくなり、発光輝度が大きく低下することになる。
【００３４】
例えば、図５に示すように、電源線ＳＷ１が対応する領域ＰＡ１はすべて高輝度の画素領域からなり、電源線ＳＷ２が対応する領域ＰＡ２は高輝度と低輝度の画素領域を含む場合、電源線ＳＷ１に比べて電源線ＳＷ２の消費電流が小さいために、その消費電流の差に応じて電源線ＳＷ２の電圧降下量が相対的に少なくなる。その結果、電源線ＳＷ２が対応する領域ＰＡ２の輝度が相対的に高くなりやすい（クロストーク）。
【００３５】
本実施形態の表示装置では、跨ぎ部分の距離が短く、跨ぎ部分の抵抗増加が全体的に抑制されるので、上述したように複数の電源線の間で消費電流量が異なる場合も、それに伴う電圧降下量の差は小さい。そのため、発光素子Ｄ１、Ｄ２の発光性能が均一化される。
【００３６】
図６及び図７に示す電流プログラム方式では、保持容量Ｃ１、Ｃ２の両端の電位差は、信号線（電流プログラム線）ＳＬ１、ＳＬ２の電位Ｖ１と、電源線ＳＷ１、ＳＷ２（電流供給線）の電位Ｖ２とによって定まり、その値はプログラム期間中に信号線ＳＬ１、ＳＬ２に流す電流値によって定まる。この方式では、プログラミング期間中に流す電流値によって発光素子Ｄ１、Ｄ２に流れる電流量が一義的に定まるので、上記電圧プログラム方式に比べて、電源配線の電圧降下の影響を受けにくい。しかし、その後電源線ＳＷ１、ＳＷ２からそれぞれ電流の供給を受ける複数の発光素子の消費電流総量が変化し、電流Ｉ１、Ｉ２が変化した場合には、上記電圧降下の影響を受けることになる。
【００３７】
すなわち、電流プログラム方式では、プログラム期間中の電位Ｖ２が基準となって保持容量Ｃ１、Ｃ２に電位差（Ｖ２−Ｖ１）が与えられ、保持される。そのため、その後電源線ＳＷ１に流れる電流が変化し配線抵抗Ｒ１によって電源線ＳＷ１の電位Ｖ２が変化しても、光学素子Ｄ１に供給される電流は変化しないはずである。しかし、実際には駆動用トランジスタＴｒ１、Ｔｒ２のソース−ドレイン間電圧対ドレイン電流特性が完全な飽和特性を示さないことから、電位Ｖ２の変化によって光学素子Ｄ１への電流が変化してしまうのである。従って、複数の光学素子Ｄ１、Ｄ２の間において、その駆動電流の供給を受ける電源線ＳＷ１、ＳＷ２を流れる電流の時間的な変化が異なると、それに伴う電圧降下量の差によって、プログラムの基準となる電位Ｖ２が異なるようになり、それが発光輝度の差となって現れる。
【００３８】
本実施形態の表示装置では、跨ぎ部分の距離が短く、跨ぎ部分の抵抗増加が全体的に抑制されるので、上述した消費電流量の時間的な変化が生じる場合にも、それに伴う電圧降下量の差が小さい。そのため、発光素子Ｄ１、Ｄ２の発光性能が均一化される。
【００３９】
図８及び図９は、配線構造のより具体的な実施例を模式的に示す図である。
図８の配線構造では、電源配線の交差部分にくびれＣが設けられるとともに、１つのくびれＣに対して、複数の跨ぎ部分が配置されている。すなわち、青色用電源配線３Ｂに設けられた１つのくびれＣに対して、赤色用電源線６Ｒ、緑色用電源線６Ｇの２つの電源線が配置されている。そのため、配線スペースの効率化が図られている。なお、これまで説明した配線構造では、配線の線幅方向の両側からくびれＣが設けられているが、くびれの形状はこれに限定されず、様々な形態を採用可能である。
【００４０】
図９の配線構造では、各配線の片側からのみくびれＣが設けられている。また、緑色用電源配線３Ｇと青色用電源配線３Ｂとは、くびれＣが設けられていない直線状の縁部同士が対向するように配置されている。一方、緑色用電源配線３Ｇと赤色用電源配線３Ｒとは、互いにくびれ同士が入り組んだ配置となっている。すなわち、赤色用電源配線３ＲのくびれＣの内側に、緑色用電源配線３Ｇの一部（凸部）が配置されるとともに、緑色用電源配線３ＧのくびれＣの内部に、赤色用電源配線３Ｒの一部（凸部）が配置されている。これらにより、跨ぎ部分の距離をより短くできる上に、配線スペースを効率化でき、配線抵抗の低減化と省スペース化とを同時に実現できる。
【００４１】
なお、上記実施形態において、非表示領域２に配置される３本の電源配線のそれぞれは、表示領域１に対して同じ側、すなわち、電源配線のうちＹ方向に延びる部分が表示領域１に対して−Ｘ側に配置されているが、例えば、図１０（ａ）に示すように、複数の電源配線のうち、一部の電源配線が表示領域１に対して−Ｘ側に配置され、残りの電源配線が表示領域１に対して＋Ｘ側に配置されてもよい。図１０（ａ）に示す例では、赤色及び緑色用電源配線３Ｒ、３Ｇが表示領域１の−Ｘ側に配置され、青色用電源配線３Ｂが表示領域１の＋Ｘ側に配置されている。また、電源配線のうちＸ方向に延びる部分も、３本全てが表示領域１に対して同じ側（＋Ｙ側）に配置されている構成の他に、一部の電源配線が表示領域１に対して＋Ｙ側に配置され、残りの電源配線が表示領域１に対して−Ｙ側に配置されてもよい。
【００４２】
また、上記実施形態において、電源配線はＲ、Ｇ、Ｂの各色に対応して３本設けられた構成であるが、このうちのいずれか２本を１本にまとめてもよい。例えば、図１０（ｂ）に示すように、Ｒ及びＧに対応する発光素子に対して電力を供給するための電源配線を１本とし、この１本の電源配線（電源配線）から赤色用電源線６Ｒ及び緑色用電源線６Ｇに分岐させてもよい。
【００４３】
次に、上記実施形態の有機ＥＬ表示装置を備えた電子機器の例について説明する。
図１１は、携帯電話の一例を示した斜視図である。図１１において、符号１０００は携帯電話本体を示し、符号１００１は上記の有機ＥＬ表示装置を用いた表示部を示している。
図１２は、腕時計型電子機器の一例を示した斜視図である。図１２において、符号１１００は時計本体を示し、符号１１０１は上記の有機ＥＬ表示装置を用いた表示部を示している。
図１３は、ワープロ、パソコンなどの携帯型情報処理装置の一例を示した斜視図である。図１３において、符号１２００は情報処理装置、符号１２０２はキーボードなどの入力部、符号１２０４は情報処理装置本体、符号１２０６は上記の有機ＥＬ表示装置を用いた表示部を示している。
図１１〜図１３に示す電子機器は、上記実施形態の有機ＥＬ表示装置を備えているので、表示品位に優れ、明るい画面の有機ＥＬ表示部を備えた電子機器を実現することができる。
【００４４】
なお、上記実施形態は、本発明の電源配線の配線パターンを有機ＥＬ表示装置に適用したものであるが、有機ＥＬ表示装置に限らず、ＰＤＰ（プラズマディスプレイパネル）表示装置や液晶表示装置など、素子への電源配線が複数あり、これら各線において跨ぎ部分が存在する表示装置であれば、各種装置に適用可能である。
【００４５】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
例えば、上記の全ての実施形態において、駆動回路７は表示装置Ｓの非表示領域２内に配置されているが、本発明はかかる構成に限定されるものではない。即ち、駆動回路７は表示装置Ｓの外部、例えば電子機器の側やそれとの中継基板上に配置されていても良く、図中の駆動回路７の位置に駆動回路７との接続のための配線パターン又はコネクタを設けても良い。また、上記の全ての実施例において、電源供給線３が駆動回路７に接続されているが、本発明はかかる構成に限定されるものではない。即ち、電源供給線３を、駆動回路７を介することなく、不図示の電源回路に接続することも可能である。
【００４６】
【発明の効果】
本発明の電気光学装置及び電子機器によれば、複数の電源線に跨ぎ部分があるものの、その跨ぎ部分と交差する配線に設けられたくびれによって、跨ぎ部分の距離が短くなることにより、跨ぎ部分の電圧降下量が抑制され、良好な発光性能が得られる。
【図面の簡単な説明】
【図１】本発明の電気光学装置としての有機ＥＬ表示装置の一実施形態を示す図であって、（ａ）は概略平面図、（ｂ）は（ａ）の要部拡大図である。
【図２】有機ＥＬ表示装置の構成の一例を示す斜視図である。
【図３】電源配線と電源線との交差部分を示す図であって、（ａ）は平面図、（ｂ）は（ａ）のＡ−Ａ断面図である。
【図４】電圧プログラム方式の回路の一例を示す回路図である。
【図５】電圧降下によって輝度ムラが生じる例を説明するための模式図である。
【図６】電流プログラム方式の回路の一例を示す回路図である。
【図７】電流プログラム方式の回路の一例を示す回路図である。
【図８】配線構造のより具体的な実施例を模式的に示す図である。
【図９】配線構造のより具体的な実施例を模式的に示す図である。
【図１０】本発明の有機ＥＬ表示装置の他の実施形態を示す平面図である。
【図１１】本発明の電気光学装置を備えた電子機器の一例を示す図である。
【図１２】本発明の電気光学装置を備えた電子機器の一例を示す図である。
【図１３】本発明の電気光学装置を備えた電子機器の一例を示す図である。
【符号の説明】
Ｓ…有機ＥＬ表示装置（電気光学装置）
Ｐ…基板
Ｃ…くびれ
１…表示領域
２…非表示領域
３…共通電源配線
３Ｒ…赤色用電源配線
３Ｇ…緑色用電源配線
３Ｂ…青色用電源配線
６Ｒ…赤色用電源線
６Ｇ…緑色用電源線
６Ｂ…青色用電源線
１００…画素領域
【図１】
2004117691.tif 000003
【図２】
2004117691.tif 000004
【図３】
2004117691.tif 000005
【図４】
2004117691.tif 000006
【図５】
2004117691.tif 000007
【図６】
2004117691.tif 000008
【図７】
2004117691.tif 000009
【図８】
2004117691.tif 000010
【図９】
2004117691.tif 000011
【図１０】
2004117691.tif 000012
【図１１】
2004117691.tif 000013
【図１２】
2004117691.tif 000014
【図１３】
2004117691.tif 000015